(57)【特許請求の範囲】
【請求項１】
机本体の後端部又は側端部の上面にパネルを立設してなるパネル付き机において、
前記机本体の後端部における左右両端の上部、又は側端部における前後両端の上部に、それぞれ上端が開口する上下方向を向く取付孔を設け、該両取付孔に、上部側の軸線が下端部の軸線よりも外側となるようにほぼクランク状に折曲された折曲部を有した上下方向を向く支持杆の下端部を嵌合するとともに、取付孔の上端開口部の外面に、取付孔と連続する切欠凹溝を形成し、この切欠凹溝に、支持杆の外向きの前記折曲部を上方より嵌合することにより、回り止め手段を構成し、前記支持杆の上部側を、前記パネルの両端部に形成した上下方向を向く挿入孔に嵌合することにより、該パネルを、机本体の後端又は側端より所要寸法外方に突出させて取付けたことを特徴とするパネル付き机。
【請求項２】
前記クランク状に折曲された折曲部は、机本体の後端又は側端よりのパネルの突出寸法が、該パネルの厚さのほぼ半分となるように支持杆をクランク状に折曲することを特徴とする請求項１に記載のパネル付き机。
【発明の詳細な説明】
【０００１】
【発明の属する技術分野】
本発明は、机本体の後部又は側部の上面にパネルを立設させたパネル付き机に関する。
【０００２】
【従来の技術】
オフィス等で使用される机の中には、机本体や天板における後部又は側部の上面に目隠し用等のためのパネルを立設し、机の使用者が執務に専念することができるようにしたパネル付き机がある。
【０００３】
従来のパネル付き机において、パネルは、机本体や天板の後端部又は側端部の上面に、それらの端面より外方に突出しないように、適宜のブラケットを用いて取付けられているのが一般的であった。
【０００４】
【発明が解決しようとする課題】
そのため、机上の有効面積がパネルにより狭められる効果となっていた。また、複数の机を、その天板の後端面や側端面を突合せて配置し、一方の机の天板に立設した１つのパネルを隣接する他方の机と共用しようとした際、パネルの位置が一方の机側に片寄り、双方の天板の間の中央に位置しないため、体裁が悪くなる。
【０００５】
本発明は、上記問題点を解決するためになされたもので、パネルを机本体や天板の端部より外方に突出させて取付可能とすることにより、机上の有効面積が狭められるのを防止するとともに、天板を突合せて配置した際のパネルの一方への片寄りをなくすことができるようにしたパネル付き机を提供することを目的としている。
【０００６】
【課題を解決するための手段】
上記課題を解決するために、本発明のパネル付き机は、机本体の後端部又は側端部の上面にパネルを立設してなるパネル付き机において、前記机本体の後端部における左右両端の上部、又は側端部における前後両端の上部に、それぞれ上端が開口する上下方向を向く取付孔を設け、該両取付孔に、上部側の軸線が下端部の軸線よりも外側となるようにほぼクランク状に折曲された折曲部を有した上下方向を向く支持杆の下端部を嵌合するとともに、取付孔の上端開口部の外面に、取付孔と連続する切欠凹溝を形成し、この切欠凹溝に、支持杆の外向きの前記折曲部を上方より嵌合することにより、回り止め手段を構成し、前記支持杆の上部側を、前記パネルの両端部に形成した上下方向を向く挿入孔に嵌合することにより、該パネルを、机本体の後端又は側端より所要寸法外方に突出させて取付けたことを特徴としている。
この特徴によれば、支持杆の上部側が外側にクランク状に折曲しているため、パネルを支持杆の上部側に嵌合するだけで、パネルは、机本体の後端又は側端より外方に突出して取付けられる。従って、机上の有効面積がパネルにより狭められることはない。また、支持杆は取付孔に、かつパネルは支持杆に上方より嵌合するだけで取り付けられるので、それらの取付けや取外しが極めて容易となる。また特別な回り止め手段を設けなくても、支持杆を取付孔に嵌合するだけで簡単に回り止めがなされる。
【００１０】
本発明のパネル付き机は、前記クランク状に折曲された折曲部は、机本体の後端又は側端よりのパネルの突出寸法が、該パネルの厚さのほぼ半分となるように支持杆をクランク状に折曲することが好ましい。
このようにすれば、複数の机本体の後端面や側端面を突合せて配置した際、隣接する一方の机本体に取付けたパネルの厚さの半分が他方の机本体側に突出し、１つのパネルを双方の机本体の中央部間において共用することができる。また、パネルが一方の机本体側に片寄ることがないので、体裁がよくなる。
【００１１】
【発明の実施の形態】
以下、本発明の実施形態を図面に基づいて説明する。
【００１２】
図１ないし図６は、本発明の一実施形態を示すもので、図１は机本体の脚部上面に形成された取付孔と支持杆との関係を示す部分斜視図、図２は脚部上面に形成された取付孔に支持杆が挿入される状態を示す部分斜視図、図３は机本体の後端部上面の両角部に支持杆を挿入する状態を示す斜視図、図４は机本体の後端部上面の両角部に立設された支持杆にパネルが取付けられる状態を示す斜視図、図５の（ａ）は隣接する他方の机側に突出して立設されるパネルの支持状態を示す断面図、（ｂ）は（ａ）のＢ−Ｂ断面図であり、図６は図４のＡ−Ａ断面図である。
【００１３】
図３に示される１は机本体であり、机本体１は、縦長板状に形成され、下端が前方に張り出した下部アーム２ａ、２ｂを設けた左右の脚部３ａ、３ｂと、両脚部３ａ、３ｂ間に着脱可能に装着される幕板４と、両脚部３ａ、３ｂの上端に前方に張り出して取付けられる一対の支持アーム５ａ、５ｂ（一方のみ図示）と、支持アーム５ａ、５ｂ上に支持される天板６とから構成されている。
【００１４】
前記机本体１の後端部角部に対応して、両支持アーム５ａ、５ｂ後端部の上部は、図１に示されるように、それぞれ上端が開口する上下方向を向く取付孔１０ａ、１０ｂが形成されており、これら取付孔１０ａ、１０ｂの上端開口は、一対の支持アーム５ａ、５ｂ上に支持される天板６の上面とほぼ同一面に位置している。
【００１５】
これら取付孔１０ａ、１０ｂは、上端開口部の外面に、該取付孔１０ａ、１０ｂと連続するよう後方を向く切欠凹溝１２が形成されており、取付孔１０ａ、１０ｂが形成される両支持アーム５ａ、５ｂ後端部には、キャップ１４が装着されており、キャップ１４の上端にも取付孔１０ａ、１０ｂに対応する孔が形成されている。
【００１６】
これら取付孔１０ａ、１０ｂには、後述するパネルを構成する左右両端に装着される縦枠１６ａ、１６ｂの装着部２２の上下方向を向く挿入孔２２ｃ下端の開口端部から挿入可能な一対の支持杆８、８の下端が嵌合保持されるようになっている。
【００１７】
支持杆８、８は、図５の（ａ）に示されるように、上部側の軸線が下端部の軸線よりも外側となるようにほぼクランク状に折曲形成されており、この切欠凹溝１２に支持杆８の外向き折曲部８ａを上方より嵌合することにより、回り止め手段が構成される。
【００１８】
このように構成された支持杆８、８は、机本体１の後端部角部に対応する両支持アーム５ａ、５ｂ後端上部の取付孔１０ａ、１０ｂの回り止め手段により回動不能に外向き折曲部８ａが保持されて、机本体１の後端より上部の垂直軸部が突出した状態で立設される（図３参照）。
【００１９】
すなわち、この支持杆８は、図５の（ａ）に示す机本体１の後端よりの後述するパネル１５の突出寸法が、該パネル１５の厚さＴのほぼ半分Ｔ／２となるようにクランク状に折曲されている。尚、前述した実施形態では、パネルを取付けるための取付孔が、机本体１の５ｂ後端上部両角部に設けた例につき説明したが、両側面の前後に設けることも可能である。
【００２０】
次に、パネルの概略構造につき図４、図６を参照して説明する。
【００２１】
符号１５はパネルを示しており、このパネル１５は、横長矩形に形成された一対のパネル板２０ａ、２０ｂの外周が所定厚みの左右の縦枠１６ａ、１６ｂと上下の横枠１８ａ、１８ｂから成る外枠で囲まれて構成されており、左右の縦枠１６ａ、１６ｂは、上下端部に配置されるコーナカバーと、両コーナカバー間に長尺ボルトＢを介して挿通接合されて側端に配置されるサイドカバーとから成り、これらカバーにはパネル板２０ａ、２０ｂを内側で保持するための装着部２２が長手方向に沿って形成されており、装着部２２内には、上下方向を向く挿入孔２２ｃが形成されている。
【００２２】
図６に示すように、断面細長状に形成された挿入孔２２ｃの内部中間には、係止突起２２ａが対向して形成されており、対向する係止突起２２ａ間の間隔は、支持杆８の直径より狭く形成されている。
【００２３】
次に、上記のように構成された支持杆を利用してパネルを取付ける手順を説明する。
【００２４】
図１及び図２には単一の支持杆８を机本体１の後端上部の角部に嵌合する状態が示されており、両支持アーム５ａ、５ｂ後端部の上部に形成された取付孔１０ａ、１０ｂに支持杆８の下端を差込むに際し、外向き折曲部８ａを取付孔１０ａ、１０ｂの切欠凹溝１２に上方より嵌合する。
【００２５】
これにより、両支持杆８、８は、回り止め手段により回動不能に保持された状態で机本体１の後端より上部の垂直軸部が突出した状態で立設される。この状態では、天板６上に突出した垂直軸部が、机本体１の後端と、隣接する他方の机の後端（天板２３）との間のほぼ中央に位置している（図５参照）。
【００２６】
そこで、立設した両支持杆８、８を、パネル１５両端の縦枠１６ａ、１６ｂに形成される上下方向を向く挿入孔２２ｃに挿入し、それぞれ係止突起２２ａの外側に接触させて両係止突起２２ａを挟持する。
【００２７】
従って、このように構成されたパネル付き机によれば、支持杆８の上部側が外側にクランク状に折曲していることから、パネル１５を支持杆８の上部側に嵌合するだけで、パネル１５の一端が机本体１の後端より外方に突出して取付けられる。また、パネル１５を支持する支持杆８が取付孔１０ａ、１０ｂ内に嵌合されると共にパネル１５の下面に隠れるので、従来のようにパネルの取付部（ブラケット等）が机上にはみ出すことがないため、机上の有効面積がブラケットによって狭められることはなく、美観が向上する。
【００２８】
また、支持杆８は取付孔１０ａ、１０ｂに、かつパネル１５は支持杆８、８に上方より嵌合するだけで取り付けられるので、それらの取付けや取外しが極めて容易となる。
【００２９】
更に、机本体１における取付孔１０ａ、１０ｂと支持杆８、８の下端部との間に、これら支持杆８、８の回り止め手段が設けられていることから、パネル１５が左右又は前後方向に位置ずれするのが防止されるので、机本体１を壁面等に寄せて配置する必要がなくなる。
【００３０】
更に加えて、机本体１の後端よりのパネル１５の突出寸法が、このパネル１５の厚さＴのほぼ半分Ｔ／２となるように支持杆８がクランク状に折曲されているので、複数の机本体１の後端面や側端面を突合せて配置した際、隣接する一方の机本体１に取付けたパネル１５の厚さの半分が他方の机本体側に突出し、１つのパネル１５を双方の机本体の中央部間において共用することができる。また、パネル１５が一方の机本体側に片寄ることがないので、体裁がよくなる。
【００３１】
次に、図７には回り止め手段の変形例が示されており、（ａ）は断面四角形状に形成された回り止め手段を示し、（ｂ）は断面六角形状に形成された回り止め手段を示している。
【００３２】
すなわち、図７の（ａ）に示される回り止め手段は、両支持アーム５ａ、５ｂ後端部の上部にそれぞれ上端が開口する上下方向を向く断面四角形状の取付孔２５として形成されており、この取付孔２５に挿入保持される支持杆８の少なくとも嵌合部２８は断面四角形状に形成されている。
【００３３】
また、図７の（ｂ）に示される回り止め手段は、両支持アーム５ａ、５ｂ後端部の上部にそれぞれ上端が開口する上下方向を向く断面六角形状の取付孔２６として形成されており、この取付孔２６に挿入保持される支持杆８の少なくとも嵌合部３０が断面六角形状に形成されている。なお、回り止め手段の断面形状は、非円形断面形状に形成されれば良く、上記形状に限定されるものではない。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
【発明の効果】
本発明は以下の効果を奏する。
【００３６】
（ａ）請求項１項の発明によれば、支持杆の上部側が外側にクランク状に折曲しているため、パネルを支持杆の上部側に嵌合するだけで、パネルは、机本体の後端又は側端より外方に突出して取付けられる。従って、机上の有効面積がパネルにより狭められることはない。また、支持杆は取付孔に、かつパネルは支持杆に上方より嵌合するだけで取り付けられるので、それらの取付けや取外しが極めて容易となる。また特別な回り止め手段を設けなくても、支持杆を取付孔に嵌合するだけで簡単に回り止めがなされる。
【００４０】
（ｂ）請求項２項の発明によれば、複数の机本体の後端面や側端面を突合せて配置した際、隣接する一方の机本体に取付けたパネルの厚さの半分が他方の机本体側に突出し、１つのパネルを双方の机本体の中央部間において共用することができる。また、パネルが一方の机本体側に片寄ることがないので、体裁がよくなる。
【図面の簡単な説明】
【図１】本発明の適用された机本体の脚部上面に形成された取付孔と支持杆との関係を示す部分斜視図である。
【図２】脚部上面に形成された取付孔に支持杆が挿入される状態を示す部分斜視図である。
【図３】机本体の後端部上面の両角部に支持杆を挿入する状態を示す斜視図である。
【図４】机本体の後端部上面の両角部に立設された支持杆にパネルが取付けられる状態を示す斜視図である。
【図５】（ａ）は隣接する他方の机側に突出して立設されるパネルの支持状態を示す断面図、（ｂ）は（ａ）のＢ−Ｂ断面図である。
【図６】図４のＡ−Ａ断面図である。
【図７】回り止め手段の変形例を示し、（ａ）は断面四角形状に形成された回り止め手段の断面図であり、（ｂ）は断面六角形状に形成された回り止め手段の断面図である。
【符号の説明】
１                机本体
２ａ、２ｂ        下部アーム
３ａ、３ｂ        脚部
４                幕板
５ａ、５ｂ        支持アーム
６                天板
８                支持杆
８ａ              折曲部
１０ａ、１０ｂ    取付孔
１２              切欠凹溝
１４              キャップ
１５              パネル
１６ａ、１６ｂ    縦枠
１８ａ、１８ｂ    横枠
２０ａ、２０ｂ    パネル板
２２ａ            係止突起
２２ｃ            挿入孔
２２              装着部
２３              天板
２５、２６        取付孔
２８、３０        嵌合部
Ｂ                長尺ボルト
【図１】
0004598290.tif 000002
【図２】
0004598290.tif 000003
【図３】
0004598290.tif 000004
【図４】
0004598290.tif 000005
【図５】
0004598290.tif 000006
【図６】
0004598290.tif 000007
【図７】
0004598290.tif 000008